(57)【要約】【課題】閉じられた状態であっても、情報入力装置の状態を外部へ通知できる情報入力装置を提供する。【解決手段】読取装置は、検出装置７と検出装置８とを一対にして有する。発光部９は、検出装置８の前面８Ａの設けられる面において、検出装置８の上端部に設けられ、発光態様によって読取装置の状態を表示する。保持シート４４は、左側覆い部４１の前面に設けられ、内側に検出装置７を挿入保持する。斜面部４４Ｓは、保持シート４４の上端部４４Ａと、保持シート４４に挿入された検出装置７の前面７Ａにおける上端部７５が保持シート４４の内側から接する位置との間に形成される。斜面部４４Ｓは、折り畳まれた状態にある読取装置の発光部９に対して斜めに配置される。【選択図】図１０
2016024756.tif 000002
【特許請求の範囲】
【請求項１】
一対の表紙と、前記一対の表紙の間に重ねて配置した複数枚の用紙とが、各々の縁部の一部で綴じられた冊子状の記録媒体上に入力される情報を取得可能な情報入力装置であって、
前記一対の表紙のうちの第一表紙の紙面略全体に接触する第一接触面を一つの面に備え、前記第一接触面に近接した筆記具の位置を検出可能な第一検出部と、前記一対の表紙のうちの第二表紙の紙面略全体に接触する第二接触面を一つの面に備え、前記第二接触面に近接した筆記具の位置を検出可能な第二検出部とを有し、前記第一接触面の全体と前記第二接触面の全体とを対向配置させて前記第一検出部と前記第二検出部とを閉じることが可能な一対の板状体と、
前記第二検出部の前記第二接触面が設けられる面において、前記第一検出部と前記第二検出部とを互いに開いた状態で前記第一検出部に対向する側とは異なる側の一端部であり、且つ、前記第一検出部と前記第二検出部とを互いに閉じた状態で前記第一検出部に対向しない位置に設けられる発光部と、
前記第一検出部を前記第一接触面の反対側から覆う板状の第一覆い部と、前記第二検出部を前記第二接触面の反対側から覆い、且つ、前記第二検出部に固定される板状の第二覆い部とを備えるカバー部と、
前記第一覆い部の前記第一検出部を覆う側の内面に、前記第二覆い部と対向する側を除く外縁部を閉塞して設けられ、前記第一接触面を覆い、且つ、前記第一検出部を内側に挿入保持する樹脂製のシート部材と、
前記シート部材において、前記外縁部と前記シート部材に挿入された前記第一検出部の周縁部と接する位置との間に形成され、互いに閉じられた前記一対の板状体において前記発光部に対して斜めに配置された斜面部と
を備えたことを特徴とする情報入力装置。
【請求項２】
前記シート部材は透明であることを特徴とする請求項１に記載の情報入力装置。
【請求項３】
前記第一検出部の前記第一接触面が設けられる面以外の面であって、前記第一覆い部によって覆われない端面において、前記一対の板状体が閉じられた状態で前記発光部に近接する位置に記号を付したことを特徴とする請求項２に記載の情報入力装置。
【請求項４】
前記第二検出部の前記第二接触面が設けられる面以外の面であって、前記第二覆い部によって覆われない端面において、前記発光部に近接する位置に記号を付したことを特徴とする請求項１から３のいずれかに記載の情報入力装置。
【請求項５】
前記シート部材は、ポリエチレン樹脂またはポリエチレン樹脂を主体とした材料からなることを特徴とする請求項１から４のいずれかに記載の情報入力装置。
【発明の詳細な説明】
【技術分野】
【０００１】
本発明は、紙媒体に筆記する動作に基づき、筆記具の移動の軌跡を電子化する情報入力装置に関する。
【背景技術】
【０００２】
従来、板状のデジタイザの上から筆記具で筆記する場合の筆記具の動作に基づいて、筆記具の移動の軌跡を筆跡として電子化することが可能な情報入力装置が知られている。特許文献１は、教科書等の参照用情報を表示する参照用情報表示部を備える電子教科書と、ペン型の入力装置を使用したユーザにより入力された入力情報を表示する入力情報表示部を備える電子ノートとを左右方向に見開き可能に構成した情報処理端末を開示する。情報処理端末は、ユーザによる持ち運びを考慮して、電子教科書と電子ノートとを重ね合わせて折り畳み可能に構成されている。
【先行技術文献】
【特許文献】
【０００３】
【特許文献１】特開２０１３−２４２６１２号公報
【発明の概要】
【発明が解決しようとする課題】
【０００４】
ところで、情報処理端末の状態を発光状態によってユーザに通知可能な発光部が、情報処理端末に設けられることがある。発光部は、情報処理端末において、情報処理端末を開いた状態でユーザに視認可能な位置である、入力情報表示部または参照用情報表示部が設けられる面に設けられる場合がある。この場合、入力情報表示部および参照用情報表示部を内側にして情報処理端末が折り畳まれた状態では、ユーザは、情報処理端末の外側から発光部の発光状態を視認できず、情報処理端末は、ユーザに情報処理端末の状態を通知できないという問題点がある。
【０００５】
本発明は、閉じられた状態であっても、情報入力装置の状態を通知する発光部の発光状態を視認できる情報入力装置を提供することを目的とする。
【課題を解決するための手段】
【０００６】
本発明に係る情報入力装置は、一対の表紙と、前記一対の表紙の間に重ねて配置した複数枚の用紙とが、各々の縁部の一部で綴じられた冊子状の記録媒体上に入力される情報を取得可能な情報入力装置であって、前記一対の表紙のうちの第一表紙の紙面略全体に接触する第一接触面を一つの面に備え、前記第一接触面に近接した筆記具の位置を検出可能な第一検出部と、前記一対の表紙のうちの第二表紙の紙面略全体に接触する第二接触面を一つの面に備え、前記第二接触面に近接した筆記具の位置を検出可能な第二検出部とを有し、前記第一接触面の全体と前記第二接触面の全体とを対向配置させて前記第一検出部と前記第二検出部とを閉じることが可能な一対の板状体と、前記第二検出部の前記第二接触面が設けられる面において、前記第一検出部と前記第二検出部とを互いに開いた状態で前記第一検出部に対向する側とは異なる側の一端部であり、且つ、前記第一検出部と前記第二検出部とを互いに閉じた状態で前記第一検出部に対向しない位置に設けられる発光部と、前記第一検出部を前記第一接触面の反対側から覆う板状の第一覆い部と、前記第二検出部を前記第二接触面の反対側から覆い、且つ、前記第二検出部に固定される板状の第二覆い部とを備えるカバー部と、前記第一覆い部の前記第一検出部を覆う側の内面に、前記第二覆い部と対向する側を除く外縁部を閉塞して設けられ、前記第一接触面を覆い、且つ、前記第一検出部を内側に挿入保持する樹脂製のシート部材と、前記シート部材において、前記外縁部と前記シート部材に挿入された前記第一検出部の周縁部と接する位置との間に形成され、互いに閉じられた前記一対の板状体において前記発光部に対して斜めに配置された斜面部とを備える。
【０００７】
本発明によれば、斜面部は、閉じられた状態にある一対の板状体の外側へ、発光部の発する光を反射させることができる。したがって、本発明に係る情報入力装置は、一対の板状体が閉じられた状態であっても、情報入力装置の状態を通知する発光部の発光状態を視認できる。
【０００８】
前記シート部材は透明であってもよい。この場合、シート部材の内側における第一検出部の挿入状態を把握しやすくできるため、第一検出部がシート部材に確実に保持されやすい。
【０００９】
前記情報入力装置は、前記第一検出部の前記第一接触面が設けられる面以外の面であって、前記第一覆い部によって覆われない端面において、前記一対の板状体が閉じられた状態で前記発光部に近接する位置に記号を付してもよい。この場合、情報入力装置は、第一検出部に付された記号を目印として、発光部の発光状態を外部に示すことができる。このため、ユーザは、記号を目印として、斜面部において発光部の光が反射する位置を速やかに確認できる。
【００１０】
前記情報入力装置は、前記第二検出部の前記第二接触面が設けられる面以外の面であって、前記第二覆い部によって覆われない端面において、前記発光部に近接する位置に記号を付してもよい。この場合、情報入力装置は、第二検出部に付された記号を目印として、発光部の発光状態を外部に示すことができる。このため、ユーザは、記号を目印として、斜面部において発光部の光が反射する位置を速やかに確認できる。
【００１１】
前記シート部材は、ポリエチレン樹脂またはポリエチレン樹脂を主体とした材料からなってもよい。ポリエチレン樹脂またはポリエチレン樹脂を主体とした材料は、比較的柔らかい合成樹脂材料である。このため、シート部材は、第一検出部を内側に挿入保持することにより、外縁部において斜面部を簡単に形成できる。
【図面の簡単な説明】
【００１２】
【図１】情報入力装置１の全体構成図である。
【図２】ノート１００が装着され、開かれた状態の情報入力装置１の斜視図である。
【図３】情報入力装置１の正面図である。
【図４】外装カバー４の正面図である。
【図５】外装カバー４の背面図である。
【図６】読取装置２を閉じた状態における情報入力装置１の各部材の位置関係を示す平面図である。
【図７】外面７６および外面８６の拡大図である。
【図８】変形例における外面７６および外面８６の拡大図である。
【図９】読取装置２を閉じた状態における情報入力装置１の各部材の位置関係を示す正面図である。
【図１０】斜面部４４Ｓおよびその近傍における拡大図である。
【発明を実施するための形態】
【００１３】
以下、本発明の実施形態について、図面を参照して説明する。以下の説明では、図１の上側、下側、左側、右側を、各々、情報入力装置１の後側、前側、左側、右側とする。図２の上側、下側、左上側、右下側、右上側、左下側を、各々、情報入力装置１の前側、後側、左側、右側、上側、下側とする。図３、図４、図９、図１０の上側、下側、左側、右側、手前側、奥側を、各々、情報入力装置１または外装カバー４の上側、下側、左側、右側、前側、後側とする。図５の上側、下側、左側、右側、手前側、奥側を、各々、外装カバー４の上側、下側、右側、左側、後側、前側とする。図６、図７、図８の上側、下側、左側、右側、手前側、奥側を、各々、情報入力装置１の左側、右側、前側、後側、上側、下側とする。
【００１４】
図１および図２を参照して、情報入力装置１の構成を説明する。情報入力装置１は、読取装置２、電子ペン３、ノート１００等を備える。読取装置２は、左右方向に折り畳み（つまり、二つ折り）可能に構成され、ユーザが携行可能なタブレット型の手書き入力装置である。電子ペン３は、ノート１００にインクで情報（文字、記号、図形、数字等）を記入でき、且つ、記入された情報を読取装置２に入力可能な筆記具である。ノート１００は、第一表紙１０１と第二表紙１０２との間に複数の用紙１０３が綴じられた左右方向に見開き可能な冊子状の紙媒体である。ノート１００は、例えばＡ５サイズのノートである。
【００１５】
図１および図２に示すように、情報入力装置１では、読取装置２の前面にノート１００が固定される。ユーザは、読取装置２を開き、電子ペン３を用いて、読取装置２に固定されたノート１００の用紙１０３に情報を記入する。読取装置２は、電子ペン３の軌跡を検出し、ストロークデータを取得して記憶する。ストロークデータとは、読取装置２によって継時的に検出された電子ペン３の複数の位置情報（例えば、座標情報）を元に、電子ペン３の軌跡を特定したデータである。
【００１６】
読取装置２は、例えばＰＣ（図示略）等の外部装置と無線通信が可能である。読取装置２で取得されたストロークデータは、例えばユーザが入力した転送指示に応じてＰＣに転送される。ＰＣは、読取装置２から転送された画像ファイルを生成および表示可能である。なお、転送指示は、例えば電子ペン３の記入操作で行うことができる。
【００１７】
図１から図３を参照し、読取装置２の構成を説明する。情報入力装置１は、外装カバー４に、検出装置７と検出装置８とを一対にして有する読取装置２が取り付けられた状態で提供される。外装カバー４は、左右方向に折り畳み可能に構成される。外装カバー４は、例えば合成皮革、ナイロン素材、またはポリエステル素材等で作成され、外力に応じて変形可能な柔軟性を有する。検出装置７，８は、正面視長方形の板状に形成された入力装置である。折り曲げられていない状態の外装カバー４の前面に対し、検出装置７，８が左右方向に並んでそれぞれ取り付けられている。検出装置７と検出装置８とは、ハーネス９０を介して互いに電気的に接続されている。
【００１８】
図３に示すように、読取装置２を開くと、検出装置７は左側、検出装置８は右側に配置される。これら検出装置７，８の前面７Ａ，８Ａに対して、ノート１００が固定される（図２参照）。ノート１００の第一表紙１０１は、検出装置７の前面７Ａに接触して固定される。第二表紙１０２は、検出装置８の前面８Ａに接触して固定される。検出装置７，８は、ノート１００上の電子ペン３の位置を公知の電磁誘導方式で経時的に検出し、それら位置情報を元にスクロールデータを生成する。生成したストロークデータは、後述するメイン基板に搭載したフラッシュＲＯＭに記憶する。
【００１９】
以下、各部材の構造を詳細に説明する。なお、以下の説明では、図２および図３に示すように、読取装置２を開いた状態（つまり、外装カバー４の後述する左側覆い部４１と右側覆い部４２とが左右方向に平行に並ぶ状態）において、各部位の位置関係を説明する。
【００２０】
図４および図５を参照して、外装カバー４の構造を説明する。図４に示すように、外装カバー４は、折り曲げられていない状態で、左右方向に長い長方形状の板状体である。外装カバー４は、左側覆い部４１、右側覆い部４２、中央部４３を備える。左側覆い部４１および右側覆い部４２は、正面視長方形の板状に形成され、中央部４３を介して左右方向に互いに連結されている。左側覆い部４１および右側覆い部４２の各内部には、静電気防止用の樹脂板（図示略）がそれぞれ封入されている。中央部４３は上下方向に延設され、左側覆い部４１と右側覆い部４２を折り畳み可能とする折り曲げ部として機能する。
【００２１】
外装カバー４の前面構造を説明する。図４に示すように、左側覆い部４１の前面には、保持シート４４が設けられている。保持シート４４は、左側覆い部４１の検出装置７を覆う側の内面に設けられ、検出装置７を内側に挿入保持する構成である。保持シート４４は、正面視長方形状の透明の樹脂シートで形成されている。本実施形態では、保持シート４４は、ポリエチレンを主体とした、比較的柔らかい合成樹脂材料からなる。保持シート４４は、ポリエチレンからなる少なくとも一つの層を含む多層フィルムであってもよい。また、保持シート４４は、ポリエチレン樹脂単体からなる単層フィルムであってもよい。保持シート４４の外縁部である上端部４４Ａと左端部４４Ｂと下端部４４Ｃは、左側覆い部４１の前面に対してシールされている。保持シート４４の外縁部のうち検出装置８と対向する側である右端部は開口している。保持シート４４の左端部４４Ｂは、左側覆い部４１の左端部近傍に位置する。保持シート４４の右端部は、左側覆い部４１の中央部４３から左方に所定距離を空けて位置する。保持シート４４は、右端側が開口するポケットを形成する。検出装置７は、保持シート４４の内側に右側方から挿入されて、右端部が保持シート４４の右端部から右方に突出した状態で、保持シート４４に保持される（図３参照）。
【００２２】
右側覆い部４２の前面には、樹脂シート（図示略）が前面に貼られている。右側覆い部４２の前面には、樹脂シートを介して検出装置８の前面８Ａ（図１から図３参照）とは反対側の裏面が接着剤で固定される（図３参照）。右側覆い部４２の略中央には、矩形状の開口部４７が設けられている。なお、樹脂シートの同位置にも同形状の開口部（図示略）が設けられている。検出装置８の裏面は、バッテリの装着部（図示略）を有する。バッテリの装着部は、開口部４７内に配置される。
【００２３】
中央部４３の前面には、帯状体４５が設けられている。帯状体４５は上下方向に延設され、その長手方向両端部が、中央部４３の上部と下部にそれぞれ固定されている。帯状体４５の材質は、外装カバー４の材質と同じである。図３に示すように、検出装置７と検出装置８との間に接続されたハーネス９０は、帯状体４５と中央部４３の前面との間に配置される。それ故、ハーネス９０は帯状体４５によって隠れるので、外部から保護される。さらに、読取装置２を開いたときに、ハーネス９０が見えないので、中央部４３の前面の美観を向上できる。
【００２４】
外装カバー４の背面構造を説明する。図５に示すように、左側覆い部４１の背面には、第一ポケット５１が設けられている。なお、図５は、外装カバー４の裏表をひっくり返して図示しているので、図４の左右方向とは逆になっている。第一ポケット５１は、長方形状に形成され、左側覆い部４１と略同一幅（左右方向長さ）、且つ、左側覆い部４１の高さ（上下方向長さ）の３／４程度の高さを有する。第一ポケット５１は、その右端部、左端部、下端部が左側覆い部４１の背面にシールされている。第一ポケット５１の上端部は開口している。第一ポケット５１には、例えば、筆記具または資料等を上方から差し込み可能である。
【００２５】
他方、右側覆い部４２の背面には、開口部４７を覆うようにして、第二ポケット５２が設けられている。第二ポケット５２は、第一ポケット５１と略同一の長方形状に形成されている。第二ポケット５２は、その中央部４３側の左端部（図５において右端部）のみが中央部４３の背面にシールされ、右端部（図５において左端部）と下端部がファスナ部５３，５４によって左側覆い部４１の背面に着脱可能とされている。第二ポケット５２の上端部は開口している。ファスナ部５３，５４は、面ファスナで構成する。ユーザは、第二ポケット５２を開くことで、検出装置８を外装カバー４から取り外さなくてもバッテリ（図示略）の交換が可能である。また、第二ポケット５２を閉じることで、第二ポケット５２にも、例えば、筆記具または資料等を上方から差し込み可能である。
【００２６】
また、右側覆い部４２の右端部には、帯状のバンド５６が上下方向に延出して設けられている。バンド５６は伸縮性を有する材質（例えば、ゴム製）であって、その長手方向両端部が右側覆い部４２の上端部と下端部にそれぞれ固定されている。例えば、読取装置２を使用するために、外装カバー４を開いた状態では、ユーザは、図５に示すように、バンド５６を右側覆い部４２の背面側に廻し、第二ポケット５２上にかぶせることができる。この場合、ユーザは、読取装置２の使用中、第二ポケット５２が外側に捲れて開いてしまうのを防止できる。また、読取装置２を携行するために、外装カバー４を折り畳んだ状態では、ユーザは、バンド５６を左側覆い部４１の背面側に廻すことによって、右側覆い部４２と左側覆い部４１とを束ねることができる。この場合、ユーザは、読取装置２の携行中に、外装カバー４が開いてしまうのを防止できる。
【００２７】
図３を参照して、検出装置７，８の構造を説明する。図３に示すように、検出装置７，８は、いずれも正面視縦長の長方形状で、且つ、前後方向の厚みが小さい板状の入力装置である。図示しないが、検出装置７は、内部に、電子ペン３の近接位置を検出するためのデジタイザ基板等を収容する。検出装置８は、内部に、デジタイザ基板と、デジタイザ基板に流す電流を制御する制御基板と、メイン基板とを収容する。
【００２８】
メイン基板は、ＣＰＵ、フラッシュＲＯＭ、電源スイッチ、発光素子、無線通信部、各種スイッチ、コネクタ等の部品（図示略）を備える。ＣＰＵは、読取装置２の制御を司る。フラッシュＲＯＭは、ＣＰＵが読取装置２を制御するために実行する各種プログラムや、電子ペン３のストロークデータ等を記憶する。無線通信部は、ＰＣ等の外部装置と近距離無線通信を実行するためのコントローラである。発光素子、各種スイッチは、収容部８３に収容される。収容部８３は、検出装置８の前面８Ａの上端部で、且つ、右側に寄せた位置に設けられる。収容部８３は、略直方体状に形成され、内側にメイン基板を収容する。
【００２９】
収容部８３の前面には、３つの発光部９１，９２，９３が、互いに間隔を空けて横方向に並んで設けられている。発光素子は、収容部８３の右寄りに設けられる発光部９１，９２，９３の発光源として機能する。本実施形態では、発光素子はＬＥＤである。発光部９１，９２，９３の発光源は、電球等であってもよい。発光部９１，９２，９３は、読取装置２の状態に応じて発光態様を変化させることで、読取装置２の状態をユーザに通知する。発光部９１は、読取装置２とＰＣ等の外部装置との近距離無線通信が行われている間に発光して、近距離無線通信の通信状態をユーザに通知する。発光部９２は、読取装置２のＣＰＵがストロークデータをフラッシュＲＯＭに記憶させている間に発光して、電子ペン３のストロークデータが読取装置２に記憶されていることをユーザに通知する。発光部９３は、読取装置２に電源を供給するバッテリの充電状態に応じて発光態様を変化させることで、バッテリの充電状態をユーザに通知する。以下の説明では、３個の発光部９１，９２，９３を総称する場合は発光部９という。発光部９は、読取装置２の電源がオンとされている場合に読取装置２の状態に応じて適宜発光し、電源がオフとされている場合には発光しない。メイン基板は、制御基板と電気的に接続する。
【００３０】
デジタイザ基板は、Ｘ軸方向（具体的には、左右方向）およびＹ軸方向（具体的には、上下方向）の各々に細長いループコイルが多数配列された基板である。制御基板は、ループコイルの一本ずつに特定周波数の電流（励磁用送信電流）を流して磁界を発生させ、デジタイザ基板に近接する電子ペン３の共振回路が生ずる誘導磁界によってループコイルに流れる電流（信号電流）を検出する。メイン基板のＣＰＵは、制御基板が検出した信号電流に基づき電子ペン３の位置座標を経時的に求め、電子ペン３の軌跡を示すストロークデータを生成する。メイン基板のＣＰＵは、生成したストロークデータをメイン基板のフラッシュＲＯＭに記憶し、記憶したストロークデータを、読取装置２に接続するＰＣ等に対して出力する。
【００３１】
図３に示すように、検出装置７，８は、前面にノート１００を固定可能に構成されている。検出装置７の前面７Ａには、凹部７１が設けられている。凹部７１は、ノート１００の第一表紙１０１（図１参照）の綴じ側部分を除く領域に合わせて凹状に形成されている。凹部７１は、位置決め部７１Ａ，７１Ｂを備える。位置決め部７１Ａは、凹部７１の左上角部に位置し、第一表紙１０１の左上角部１０１Ａ（図１参照）を位置決めする。位置決め部７１Ｂは、凹部７１の左下角部に位置する。凹部７１の検出装置８に対向する縁部である右端部近傍には、粘着部７２が設けられている。粘着部７２は、例えば微粘着剤で形成された帯状の粘着部位である。粘着部７２は、凹部７１に対して位置決めされる第一表紙１０１と接着する。これにより、第一表紙１０１は凹部７１に対して固定される。
【００３２】
また、図３に示すように、検出装置８の前面８Ａには、凹部８１が設けられている。凹部８１は、ノート１００の第二表紙１０２（図１参照）の綴じ側部分を除く領域に合わせて凹状に形成されている。凹部８１は、位置決め部８１Ａ，８１Ｂを備える。位置決め部８１Ａは、凹部８１の右上角部に位置し、第二表紙１０２の右上角部１０２Ａ（図１参照）を位置決めする。位置決め部８１Ｂは、凹部８１の右下角部に位置する。凹部８１の検出装置７に対向する縁部である左端部近傍には、粘着部８２が設けられている。粘着部８２は、例えば微粘着剤で形成された帯状の粘着部位である。粘着部８２は、凹部８１に対して位置決めされる第二表紙１０２と接着する。このようにして、第二表紙１０２は凹部８１に対して固定される。
【００３３】
図３を参照して、外装カバー４に対する検出装置７，８の取付手順を説明する。作業者は、図３に示すように、まず、検出装置７を、凹部７１を前方に向けた状態で、外装カバー４の左側覆い部４１の前面に設けた保持シート４４の内側に対し、右側方から挿入する。検出装置７は、保持シート４４の内側に保持される。次に、検出装置７と検出装置８をハーネス９０で接続する。ハーネス９０は、中央部４３の前面と帯状体４５との間に通す。そして、検出装置８の背面を、外装カバー４の右側覆い部４２の前面に接着剤で固定する。このようにして、検出装置７，８は互いに左右方向に並ぶように開いた状態に配置される。
【００３４】
次に、図６から図１０を参照して、読取装置２が折り畳まれた状態における各部材の位置関係について説明する。図６および図９に示すように、読取装置２が折り畳まれた状態において、外装カバー４は、検出装置７と検出装置８とを左側覆い部４１と右側覆い部４２との間に挟んだ状態で折り畳まれる。このとき、中央部４３（図６参照）は、上下方向に延びる軸線Ｏ（図１参照）に沿って、前面７Ａおよび前面８Ａを内側にして折り曲げられる。左側覆い部４１と右側覆い部４２とは、検出装置７，８のそれぞれの厚みによって、前後方向において離れた状態で保持される。この状態で、検出装置７，８は、それぞれの前面７Ａの全体と前面８Ａの全体とを対向配置する。
【００３５】
図１０に示すように、斜面部４４Ｓは、読取装置２が折り畳まれた状態において、発光部９に対して配置される。斜面部４４Ｓは、保持シート４４の上端部４４Ａと、保持シート４４に挿入された検出装置７の前面７Ａにおける上端部７５が保持シート４４の内側から接する位置との間に形成される。保持シート４４の内側に挿入された検出装置７の厚みは、検出装置７における前面７Ａの上端部７５と、保持シート４４の上端部４４Ａとの間に位置する保持シート４４を突っ張った状態にして、検出装置７の上方に斜面部４４Ｓを形成する。なお、検出装置７の厚みは、前面７Ａの左端部と保持シート４４の左端部４４Ｂとの間に位置する保持シート４４も突っ張った状態にして、斜面部４４Ｓと同様の斜面部を形成する（図６参照）。また、検出装置７の厚みは、前面７Ａの下端部と保持シート４４の下端部４４Ｃとの間に位置する保持シート４４も突っ張った状態にして、斜面部４４Ｓと同様の斜面部を形成する（図９参照）。
【００３６】
図１０に示すように、本実施形態では、斜面部４４Ｓと左側覆い部４１との成す角度θが約４５度になるように、左側覆い部４１に対して上端部４４Ａのシールされる位置が調整されている。発光部９が設けられる収容部８３の前面は、読取装置２が折り畳まれた状態において、左側覆い部４１と対向配置する。このため、斜面部４４Ｓが、発光部９が設けられる収容部８３の前面と成す角度も、約４５度となる。
【００３７】
読取装置２の電源がオンとされている場合に、発光部９は読取装置２の状態に応じて発光する。例えば、発光部９が発光した状態のまま、ユーザは読取装置２を折りたたむ場合がある。読取装置２が折り畳まれた状態において、検出装置７と検出装置８とは、互いに閉じられる。このため、読取装置２が折り畳まれた状態において、ユーザは、発光部９の発光する光を読取装置２の外側から直接視認することは困難である。
【００３８】
図１０に示すように、読取装置２が折り畳まれた状態では、発光部９は検出装置７の前面７Ａにおける上端部７５よりも上側に配置されるので、検出装置７とは対向せず、保持シート４４の斜面部４４Ｓと対向する。これにより、発光部９が出射した光の少なくとも一部は、矢印Ｐの示す方向に進み、斜面部４４Ｓの表面上の位置Ｒにて反射し、読取装置２の上方（矢印Ｑの示す方向）に進む。反射した光がユーザの眼に届くことによって、読取装置２が折り畳まれた状態でも、ユーザは発光部９の発光状態を確認することができる。
【００３９】
例えば、ユーザは、電源がオンとされたままの読取装置２を折り畳むことがある。読取装置２の電源がオンとされたまま保管された場合、読取装置２が使用されないにもかかわらず、バッテリの消耗が進んでしまう可能性がある。バッテリの消耗の度合によっては、保管後の読取装置２をユーザが安定に使用できないような不便な場面も想定される。本実施形態の情報入力装置１は、発光部９に対して斜面部４４Ｓを配置することで、読取装置２が折り畳まれた状態であっても読取装置２の状態を外部に通知することができる。ユーザは、折り畳まれた状態の読取装置２の外部から、読取装置２の電源がオンとされたままであることを、読取装置２が折り畳まれていても把握することができる。したがって、情報入力装置１は、発光部９に対して斜面部４４Ｓを配置することで、ユーザの意図しないバッテリの消耗を防止できる。
【００４０】
本実施形態における斜面部４４Ｓは、樹脂シートである保持シート４４の一部によって形成される。樹脂シートの表面には微細な凹凸があるので、斜面部４４Ｓの表面は、完全な鏡面を形成してはいない。このため、読取装置２の外方へ出射される発光部９の光の一部は、斜面部４４Ｓにおいて乱反射されて、読取装置２の外方へ出射される。したがって、折り畳まれた状態の読取装置２は、発光部９の発光する光が直接ユーザの目に届くのとは異なり、柔らかで優しい印象の反射光を、ユーザに視認させることができる。
【００４１】
なお、角度θは、必ずしも約４５度である必要はなく、発光部９から発光され、斜面部４４Ｓに到達して反射した光が、折り畳まれた状態の読取装置２の外側へ出射される角度であればよい。また、保持シート４４のうち、少なくとも斜面部４４Ｓが形成される部分は、発光部９の光を反射できるように、滑らかな表面を有するように構成されることが好ましい。
【００４２】
次に、図７を参照して、検出装置８に付される記号８６Ｍについて説明する。図７に示すように、検出装置８は、発光部９が設けられる前面８Ａの上端部と隣接する端面である外面８６を備える。外面８６は、読取装置２が折り畳まれた状態で、読取装置２の外方に露出する。記号８６Ｍは、外面８６において、読取装置２が折り畳まれた状態で発光部９に近接する位置に付されている。このため、ユーザは、読取装置２が折り畳まれていても、記号８６Ｍを読取装置２の外方から視認できる。
【００４３】
記号８６Ｍは、発光部９の発光態様によって表示される読取装置２の状態の内容を、ユーザに対して示すために記号化した文字、記号および図形である。記号８６Ｍは、発光部９が表示する読取装置２の状態を明示的または暗示的に示すマーク、模様、絵文字等であってもよい。記号８６Ｍは、記号８６Ａ，８６Ｂ，８６Ｃの三つの記号を含む。記号８６Ａは、発光部９１の発光態様が、読取装置２と外部装置との近距離無線通信の状態を示すことを表す「通信」をローマ字表記したときの頭文字である「Ｔ」の文字からなる。記号８６Ｂは、発光部９２の発光態様が、読取装置２のＣＰＵによってストロークデータがフラッシュＲＯＭに記憶されている状態を示すことを表す「ステータス」をローマ字表記したときの頭文字である「Ｓ」の文字からなる。記号８６Ｃは、発光部９３の発光態様がバッテリの充電状態を示すことを表す「バッテリ」をローマ字表記したときの頭文字である「Ｂ」の文字からなる。
【００４４】
図１０に示すように、斜面部４４Ｓ上の位置Ｒに向けて矢印Ｐ方向へ進んだ発光部９の光は、図７に示すように、斜面部４４Ｓ上に投射光９Ｓとして投射される。投射光９Ｓには、投射光９１Ｓ，９２Ｓ，９３Ｓの三種類の投射光が含まれる。発光部９１の光は投射光９１Ｓとして、発光部９２の光は投射光９２Ｓとして、発光部９３の光は投射光９３Ｓとして、それぞれ斜面部４４Ｓ上に互いに間隔を空けて横方向に並んで投射される。記号８６Ａ，８６Ｂ，８６Ｃのそれぞれは、投射光９１Ｓ，９２Ｓ，９３Ｓが投射されるそれぞれの位置に近接して配置される。記号８６Ａ，８６Ｂ，８６Ｃのそれぞれは、発光部９１，９２，９３のそれぞれの通知する内容を示す。また、発光部９１，９２，９３の発光する光の投射光は、投射光９１Ｓ，９２Ｓ，９３Ｓに対応する。このため、ユーザは、折り畳まれた状態の読取装置２の外側から記号８６Ｍと投射光９Ｓのそれぞれを合わせて視認することで、発光部９の発光状態を、投射光９Ｓを介して確認できるとともに、発光部９の発光状態が示す内容を記号８６Ｍによって確認できる。ユーザは、記号８６Ｍを目印として投射光９Ｓを視認することで、読取装置２が折り畳まれた状態であっても、読取装置２の状態を正確に把握できる。
【００４５】
読取装置２の状態の内容をユーザに対して示す記号の付される位置は、検出装置８の外面８６に限られず、例えば、記号８６Ｍと同様の記号を検出装置７に付して、同様の効果を得ることができる。図８は、検出装置７に記号８６Ｍと同様の記号を付した変形例を示す。図８に示すように、外面７６は、検出装置７において斜面部４４Ｓ側に配置される上端面である。外面７６は、読取装置２が折り畳まれた状態で、読取装置２の外方に向けて配置される。
【００４６】
記号７６Ｍは、外面７６において、読取装置２が折り畳まれた状態で発光部９に近接する位置に付されている。即ち、記号７６Ｍは、読取装置２が折り畳まれていても、透明の保持シート４４を介して読取装置２の外方から視認できる位置に付されている。また、記号７６Ｍは、外面７６において、発光部９の発光する光に対応する投射光９Ｓが斜面部４４Ｓに投射される位置の近傍に配置する。記号７６Ｍは、発光部９１，９２，９３のそれぞれの通知する内容を示す記号７６Ａ，７６Ｂ，７６Ｃの三種類の記号を含む。記号７６Ａ，７６Ｂ，７６Ｃのそれぞれは、投射光９１Ｓ，９２Ｓ，９３Ｓが投射されるそれぞれの位置に近接して配置される。記号７６Ａ，７６Ｂ，７６Ｃのそれぞれは、記号８６Ａ，８６Ｂ，８６Ｃのそれぞれと同様に、発光部９１，９２，９３のそれぞれの通知する内容を示す。このため、ユーザは、折り畳まれた状態の読取装置２の外側から記号７６Ｍと投射光９Ｓのそれぞれを合わせて視認することで、発光部９の発光状態を、投射光９Ｓを介して確認できるとともに、発光部９の発光状態が示す内容を、記号７６Ｍによって確認できる。言い換えると、ユーザは、記号７６Ｍを目印として投射光９Ｓを視認することで、読取装置２が折り畳まれた状態であっても、読取装置２の状態を正確に把握できる。
【００４７】
以上説明したように、本実施形態の情報入力装置１によれば、発光部９の発する光を斜面部４４Ｓにおいて反射させて、閉じられた状態にある読取装置２の外側へ光を出射することができる。したがって、本実施形態に係る情報入力装置１は、読取装置２が閉じられた状態であっても、発光部９の発光状態を外部に示すことができる。
【００４８】
また、本実施形態では保持シート４４が透明なので、保持シート４４の内側における検出装置７の挿入状態を把握しやすくできる。
【００４９】
情報入力装置１は、検出装置７に付された記号７６Ｍを目印として、発光部９の発光状態を外部に示すことができる。このため、ユーザは、記号７６Ｍを目印として、斜面部４４Ｓにおいて、発光部９の光が反射する位置を速やかに確認できる。
【００５０】
情報入力装置１は、検出装置８に付された記号８６Ｍを目印として、発光部９の発光状態を外部に示すことができる。このため、ユーザは、記号８６Ｍを目印として、斜面部４４Ｓにおいて、発光部９の光が反射する位置を速やかに確認できる。
【００５１】
ポリエチレン樹脂またはポリエチレン樹脂を主体とした材料は、比較的柔らかい樹脂材料である。このため、保持シート４４は、検出装置７を内側に挿入保持することにより、検出装置７の上端部７５と保持シート４４が左側覆い部４１にシールされる上端部４４Ａとの間に斜面部４４Ｓを簡単に形成できる。
【００５２】
本実施形態において、検出装置７が本発明の「第一検出部」に相当し、検出装置８が本発明の「第二検出部」に相当し、読取装置２が本発明の「一対の板状体」に相当する。前面７Ａが本発明の「第一接触面」に相当し、前面８Ａが本発明の「第二接触面」に相当する。発光部９が本発明の「発光部」に相当する。左側覆い部４１が本発明の「第一覆い部」に相当し、右側覆い部４２が本発明の「第二覆い部」に相当し、外装カバー４が本発明の「カバー部」に相当する。保持シート４４が本発明の「シート部材」に相当し、斜面部４４Ｓが本発明の「斜面部」に相当する。
【００５３】
なお、本発明は上記の実施形態に限定されるものではなく、種々の変更が可能である。検出装置７，８が、公知の電磁誘導方式で電子ペン３の位置を検出するが、抵抗膜方式（いわゆる感圧式）、静電容量方式等、その他の方式を用いて電子ペン３の位置を検出してもよい。ノート１００のサイズ、フォーマット、材質等は、上記実施形態に限定されない。ノート１００を検出装置７，８に取り付ける方法は、上記実施形態で例示された方法に限定されない。
【００５４】
上記実施形態では、発光部９は、検出装置８における前面８Ａの上端部の収容部８３に設けられる。これにより、ユーザが電子ペン３を用いてノート１００に情報を記入する場合に、電子ペン３を持つユーザの右手または左手によって発光部９の視認性が妨げられない。しかし、発光部９の設けられる位置は上記実施形態の例に限られない。例えば、前面８Ａの右端部または下端部のように、読取装置２を開いた状態（図３参照）で、前面８Ａにおいて検出装置７と対向する側である左端部とは異なる一端部に配置されてもよい。また、発光部９は、前面８Ａの上端部、右端部、下端部のいずれか一箇所に設けられてもよい。また、発光部９は、前面８Ａの上端部、右端部、下端部のうちいずれか二箇所に設けられてもよい。また、発光部９は、前面８Ａの上端部、右端部、下端部のすべてに設けられてもよい。
【００５５】
上記実施形態では、発光部９が前面８Ａの上端部に設けられる。このため、斜面部４４Ｓは、読取装置２が折り畳まれた状態において、発光部９に対して配置されるように、検出装置７における前面７Ａの上端部７５と、保持シート４４の上端部４４Ａとの間に形成される。発光部９が前面８Ａの右端部または下端部に設けられる場合は、前面７Ａの周縁部と保持シート４４の外縁部との間に位置する保持シート４４を、前面８Ａの右端部または下端部に設けられた発光部９に対して、斜めに突っ張った状態にしてもよい。
【００５６】
上記実施形態では、記号７６Ｍは、発光部９が設けられる前面８Ａの上端部と隣接する端面である外面７６に付される。記号８６Ｍは、発光部９が設けられる前面８Ａの上端部と隣接する端面である外面８６のそれぞれに付される。記号７６Ｍおよび記号８６Ｍのいずれかが読取装置２に付されれば、発光部９によって通知される読取装置２の状態の内容を、投射光９Ｓの投射される位置の目安とともに読取装置２の外部に示すことができる。ユーザに記号を視認させやすくするために、記号７６Ｍと記号８６Ｍの両方を読取装置２に付してもよい。また、発光部９が前面８Ａの右端部または下端部に設けられる場合は、記号７６Ｍは、前面７Ａの右端部または下端部と隣接する面であって、左側覆い部４１によって覆われない端面に付されれば良い。また、この場合、記号８６Ｍは、前面８Ａの右端部または下端部と隣接する面であって、右側覆い部４２によって覆われない端面に付されれば良い。なお、記号７６Ｍおよび記号８６Ｍは、読取装置２に必ずしも付されなくてもよい。記号７６Ｍ、８６Ｍが読取装置２に付されなくても、発光部９に対して斜面部４４Ｓが配置されることで、情報入力装置１は、読取装置２の状態を折り畳まれた状態の読取装置２の外部に通知することができるからである。
【００５７】
保持シート４４に挿入された検出装置７における前面７Ａの上端部７５が保持シート４４に内側から接する位置に、保持シート４４の上部に斜面部４４Ｓを形成しやすくするための折目が設けられていてもよい。
【００５８】
保持シート４４は、ポリエチレン樹脂またはポリエチレン樹脂を主体とした材料に限らず、読取装置２を内側に挿入保持できる耐用性を備え、且つ、読取装置２が折り畳まれた状態において斜面部４４Ｓを形成できる他の材料から形成されてもよい。また、保持シート４４は必ずしも透明である必要はなく、斜面部４４Ｓが発光部９の発光する光を反射できるように構成されていれば、非透明であってもよい。また、保持シート４４は透明でなくてもよいが、外面７６のうち斜面部４４Ｓに覆われる部分に記号７６Ｍを付す場合には、斜面部４４Ｓを介して記号７６Ｍを視認できる程度の透過度を少なくとも有するように保持シート４４が形成されていることが好ましい。
【符号の説明】
【００５９】
１    情報入力装置
２    読取装置
４    外装カバー
７，８    検出装置
７Ａ，８Ａ    前面
９    発光部
４１    左側覆い部
４２    右側覆い部
４４    保持シート
４４Ｓ    斜面部
【図１】
2016024756.tif 000003
【図２】
2016024756.tif 000004
【図３】
2016024756.tif 000005
【図４】
2016024756.tif 000006
【図５】
2016024756.tif 000007
【図６】
2016024756.tif 000008
【図７】
2016024756.tif 000009
【図８】
2016024756.tif 000010
【図９】
2016024756.tif 000011
【図１０】
2016024756.tif 000012